(57)【要約】【課題】外装筐体のカラーリングを含むデザインの自由度を向上させると共に、製造コストを抑制し、ユーザーの要求に近づけることができるプロジェクターを提供する。【解決手段】プロジェクター１は、光を射出する光源装置３０と、光源装置３０から射出された光を画像信号に基づいて変調する光変調装置（液晶パネル３４１）と、液晶パネル３４１から射出された変調光を導光する導光部５と、光源装置３０、液晶パネル３４１、および導光部５を収容すると共に透光性を有し、導光部５により導光された変調光を透光する外装筐体２と、を備える。液晶パネル３４１は、導光部５に導光させる導光用画像を表示させる導光画像領域３４１１と、投写するための投写用画像を表示させる投写画像領域３４１２と、を備えている。【選択図】図６
2014056071.tif 000002
【特許請求の範囲】
【請求項１】
光を射出する光源装置と、
前記光源装置から射出された光を画像信号に基づいて変調する光変調装置と、
前記光変調装置から射出された変調光を導光する導光部と、
前記光源装置、前記光変調装置、および前記導光部を収容すると共に、透光性を有して前記導光部により導光された前記変調光を透光する外装筐体と、を備えることを特徴とするプロジェクター。
【請求項２】
請求項１に記載のプロジェクターであって、
前記光変調装置は、
前記導光部に導光させる導光用画像を表示させる導光画像領域と、
投写するための投写用画像を表示させる投写画像領域と、を備えていることを特徴とするプロジェクター。
【請求項３】
請求項２に記載のプロジェクターであって、
前記光変調装置は、前記導光画像領域と前記投写画像領域との間に、どちらの領域にも属さない画像を表示させる保護画像領域を備えていることを特徴とするプロジェクター。
【請求項４】
請求項２または請求項３に記載のプロジェクターであって、
前記導光画像領域は、矩形状を有する前記光変調装置の４つの辺側の少なくともいずれか１つの前記辺側に設定されていることを特徴とするプロジェクター。
【請求項５】
請求項２〜請求項４のいずれか一項に記載のプロジェクターであって、
前記導光部は、
前記導光画像領域から射出された前記変調光を導光する第１導光部材と、
前記第１導光部材により導光された前記変調光を前記外装筐体に導光する第２導光部材と、を備えていることを特徴とするプロジェクター。
【請求項６】
請求項５に記載のプロジェクターであって、
前記第２導光部材は、前記外装筐体の一部を構成していることを特徴とするプロジェクター。
【請求項７】
請求項２〜請求項６のいずれか一項に記載のプロジェクターであって、
前記導光部は、複数設置されていることを特徴とするプロジェクター。
【請求項８】
請求項１〜請求項７のいずれか一項に記載のプロジェクターであって、
前記変調光は、プロジェクター本体の動作情報を表示することを特徴とするプロジェクター。
【発明の詳細な説明】
【技術分野】
【０００１】
本発明は、プロジェクターに関する。
【背景技術】
【０００２】
従来、光源装置と、光源装置から射出された光束を画像信号に応じて変調する光変調装置と、光変調装置で変調された光束をスクリーンに拡大投写する投写レンズと、光源装置と光変調装置と投写レンズとを収容する外装筐体と、を備えたプロジェクターが知られている。このようなプロジェクターは、通常、外装筐体のカラーリングを数種類に限定して製造されている。
【０００３】
特許文献１では、透光性を有する材料によってロッド状に形成され、かつ横断面を連続した曲線によって閉じられた形状に形成され、電子機器における筐体の外面部に設置された導光・照明部材と、導光・照明部材の端部に臨んで設置され、導光・照明部材に表示光を入射させるための光源と、電子機器の筐体における導光・照明部材の設置部に設けられ、導光・照明部材の背面から漏洩した表示光を電子機器の外方へ反射させるための表示光反射手段と、を備える電子機器の照光装置が提案されている。この照光装置により、光表示の視認性を大幅に向上させることができるとしている。
【先行技術文献】
【特許文献】
【０００４】
【特許文献１】特開２００５−２０２３１８号公報
【発明の概要】
【発明が解決しようとする課題】
【０００５】
しかし、従来のように外装筐体のカラーリングを数種類に限定して製造されたプロジェクターは、必ずしも個々のユーザーの所望するカラーリングとはなっていないという課題があった。また、外装筐体のカラーリングの種類を増やすことは、製造コストを上げる要因になるという課題があった。
従って、外装筐体のカラーリングを含むデザインの自由度を向上させると共に、製造コストを抑制し、ユーザーの要求に近づけることができるプロジェクターが要望されていた。
【課題を解決するための手段】
【０００６】
本発明は、上述した課題の少なくとも一部を解決するためになされたものであり、以下の形態または適用例として実現することが可能である。
【０００７】
［適用例１］本適用例に係るプロジェクターは、（ａ）光を射出する光源装置と、（ｂ）光源装置から射出された光を画像信号に基づいて変調する光変調装置と、（ｃ）光変調装置から射出された変調光を導光する導光部と、（ｄ）光源装置、光変調装置、および導光部を収容すると共に、透光性を有して導光部により導光された変調光を透光する外装筐体と、を備えることを特徴とする。
【０００８】
このようなプロジェクターによれば、光変調装置で変調されて射出された変調光を導光部で導光し、導光された変調光を外装筐体に透光することにより、外装筐体を変調光でカラーリングした状態とすることができる。従って、光変調装置による変調を利用することで、外装筐体のカラーリングの自由度を向上させることができる。
【０００９】
［適用例２］上記適用例に係るプロジェクターにおいて、光変調装置は、導光部に導光させる導光用画像を表示させる導光画像領域と、投写するための投写用画像を表示させる投写画像領域と、を備えていることが好ましい。
【００１０】
このようなプロジェクターによれば、光変調装置に導光画像領域と投写画像領域とを備えることにより、導光部に導光用画像を導光させると共に、投写レンズ等を介して投写用画像をスクリーン等に拡大投写することができる。従って、外装筐体をカラーリングする機能と、プロジェクター本来の機能である画像を投写する機能とを、同一の光変調装置で実現することができる。このため、別々に光変調装置を設置して用いる必要がないため、製造コストを抑制することができる。
【００１１】
［適用例３］上記適用例に係るプロジェクターにおいて、光変調装置は、導光画像領域と投写画像領域との間に、どちらの領域にも属さない画像を表示させる保護画像領域を備えていることが好ましい。
【００１２】
このようなプロジェクターによれば、保護画像領域を導光画像領域と投写画像領域との間に備えることにより、投写レンズを介して投写された画像に、導光用画像が混ざること防止でき、逆に、外装筐体のカラーリングに投写用画像が混ざることを防止できる。
【００１３】
［適用例４］上記適用例に係るプロジェクターにおいて、導光画像領域は、矩形状を有する光変調装置の４つの辺側の少なくともいずれか１つの辺側に設定されていることが好ましい。
【００１４】
このようなプロジェクターによれば、導光画像領域を辺側に設定することにより、導光画像領域に対向させて導光部を固定して設置し、また、投写画像領域に対向させて投写レンズを固定して設置することができる。
【００１５】
［適用例５］上記適用例に係るプロジェクターにおいて、導光部は、導光画像領域から射出された変調光を導光する第１導光部材と、第１導光部材により導光された変調光を外装筐体に導光する第２導光部材と、を備えていることが好ましい。
【００１６】
このようなプロジェクターによれば、導光部が第１導光部材と第２導光部材とを備えることにより、導光画像領域から射出された変調光を外装筐体に導光するまでの導光を効率的に行うことができる。
【００１７】
［適用例６］上記適用例に係るプロジェクターにおいて、第２導光部材は、外装筐体の一部を構成していることが好ましい。
【００１８】
このようなプロジェクターによれば、第２導光部材が外装筐体の一部を構成することにより、外装筐体の小型化を図ることができ、また、外装筐体のデザインの自由度を向上させることができる。
【００１９】
［適用例７］上記適用例に係るプロジェクターにおいて、導光部は、複数設置されていることが好ましい。
【００２０】
このようなプロジェクターによれば、導光部が複数設置されていることにより、外装筐体の複数の領域に変調光を導光して透光させることができる。また、例えば、導光部毎に色を異ならせること等も行えるため、更に、外装筐体のカラーリングの自由度を向上させることができる。
【００２１】
［適用例８］上記適用例に係るプロジェクターにおいて、変調光は、プロジェクター本体の動作情報を表示することが好ましい。
【００２２】
このようなプロジェクターによれば、外装筐体を透光する変調光により、プロジェクター本体の動作情報を表示して知らせることができるため、プロジェクターの利便性を向上させることができる。動作情報として、例えば、光源装置が交換時期となっていることや、内部温度が異常であること等の情報を、外装筐体を透光する変調光の色等で知らせることができる。
【図面の簡単な説明】
【００２３】
【図１】第１実施形態に係るプロジェクターの概斜視図。
【図２】プロジェクターの光学ユニットの構成を模式的に示す図。
【図３】Ｒ光用液晶パネルの画素領域を模式的に示す平面図。
【図４】プロジェクターの回路構成を模式的に示すブロック図。
【図５】クロスダイクロイックプリズムから射出された画像光と導光部の一端部を模式的に示す概平面図。
【図６】導光部を示す図であり、（ａ）は導光部の構造を示す概平面図、（ｂ）は導光部の構造を示す概断面図。
【図７】第２実施形態に係る導光部を示す図。
【図８】第３実施形態に係る導光部を示す図。
【発明を実施するための形態】
【００２４】
以下、実施形態を図面に基づいて説明する。
（第１実施形態）
【００２５】
図１は、第１実施形態に係るプロジェクター１の概斜視図である。図２は、プロジェクター１の光学ユニット３の構成を模式的に示す図である。図１、図２を参照して、本実施形態のプロジェクター１の概略構成を説明する。
【００２６】
本実施形態のプロジェクター１は、光源装置３０から射出される光束を画像信号に応じて変調してスクリーンＳＣ（図４参照）等の投写面に拡大投写する電子機器である。プロジェクター１は、図１に示すように、外装を構成する外装筐体２、外装筐体２内部に配設される光学ユニット３（図２参照）等を備える。
【００２７】
外装筐体２は、略直方体形状を有しており、大略、上面２ａ側を構成する上ケース２Ａと、下面２ｂ側を構成する下ケース２Ｂとを有して構成されている。また、上面２ａには、プロジェクター１の動作を操作する操作パネル１１が設置されている。また、外装筐体２の前面２ｃには、光学ユニット３の投写レンズ３５が延出している。
【００２８】
また、上ケース２Ａは、ポリカーボネート等の透光性を有する材料から形成されると共に、本実施形態では乳白色に着色されている。また、上ケース２Ａは、後述する表示領域２５を有している。表示領域２５では、光変調装置（液晶パネル３４１）から射出された変調光（後述する導光用画像光）が上ケース２Ａの内面側に入射して、表示領域２５を照明する。これにより、表示領域２５は、入射した導光用画像光を透光させることで、表示領域２５の全面がカラーリングされる。また、表示領域２５は、本実施形態では、第１表示領域２５１、第２表示領域２５２、第３表示領域２５３の３つの領域に分割されている。
【００２９】
光学ユニット３は、画像信号に応じて光束を変調して投写するものであり、図２に示すように、左右方向に延出すると共に、投写レンズ３５側が前方向に向けて延出する平面視略Ｌ字形状を有する。
【００３０】
光学ユニット３は、発光管３０１とリフレクター３０５を有する光源装置３０と、レンズアレイ３１１，３１２、偏光変換素子３１３、重畳レンズ３１４、及び平行化レンズ３１５を有する照明光学装置３１とを備える。また、光学ユニット３は、ダイクロイックミラー３２１，３２２、及び反射ミラー３２３を有する色分離光学装置３２と、入射側レンズ３３１、リレーレンズ３３３、及び反射ミラー３３２，３３４を有するリレー光学装置３３とを備える。
【００３１】
また、光学ユニット３は、光変調装置としての３つの液晶パネル３４１、３つの入射側偏光板３４２、３つの射出側偏光板３４３、及び色合成光学装置としてのクロスダイクロイックプリズム３４４を有する光学装置３４と、投写光学装置としての投写レンズ３５とを備える。また、光学ユニット３は、光源装置３０、照明光学装置３１、色分離光学装置３２、リレー光学装置３３、及び光学装置３４を内部に収容すると共に、投写レンズ３５を所定位置で支持固定する光学部品用筐体３６を備える。
【００３２】
光学ユニット３において、光源装置３０から射出されて照明光学装置３１を経た光束は、色分離光学装置３２により、赤色（Ｒ）光、緑色（Ｇ）光、青色（Ｂ）光の３つの色光に分離される。分離された各色光は、各液晶パネル３４１（Ｒ光用液晶パネル３４１Ｒ、Ｇ光用液晶パネル３４１Ｇ、Ｂ光用液晶パネル３４１Ｂ）により画像信号に応じてそれぞれ変調される。
【００３３】
なお、３つの液晶パネル３４１（Ｒ光用液晶パネル３４１Ｒ、Ｇ光用液晶パネル３４１Ｇ、Ｂ光用液晶パネル３４１Ｂ）は、本実施形態では、透過型の高温ポリシリコンＴＦＴパネルを用いて構成されている。液晶パネル３４１は、詳細には、それぞれ一対の透明基板間に液晶が封入され、マトリクス状に配列された複数の画素が形成されており、液晶に対して画素毎に駆動電圧が印加可能となっている。そして、画像信号に応じた駆動電圧が各画素に入力（印加）されると、各画素は、画像信号に応じた光透過率に設定される。このため、３つの色光に分離された各色光は、対応する液晶パネル３４１を透過することによって変調され、画像信号に応じた画像光が色光毎に形成される。
【００３４】
また、クロスダイクロイックプリズム３４４は、４つの直角プリズムを貼り合わせた平面視略正方形状を有し、直角プリズム同士を貼り合わせた界面には、２つの誘電体多層膜が形成されている。そして、クロスダイクロイックプリズム３４４は、各液晶パネル３４１で変調されて形成された各色光（画像光）を、画素毎に合成してカラー画像を表す画像光として射出する。
【００３５】
図３は、Ｒ光用液晶パネル３４１Ｒの画素領域３４１０を模式的に示す平面図である。図３を参照して、Ｒ光用液晶パネル３４１Ｒを例として、画素領域３４１０の構成に関して説明する。
【００３６】
Ｒ光用液晶パネル３４１Ｒは、矩形状を有する画素領域３４１０として、導光画像領域３４１１と投写画像領域３４１２とを備えて構成されている。導光画像領域３４１１は、後述する導光部５に導光させる導光用画像を表示させる領域となる。また、投写画像領域３４１２は、従来のプロジェクターの基本機能と同様に、投写レンズ３５を介してスクリーンＳＣ等に投写するための投写用画像を表示させる領域となる。また、導光画像領域３４１１は、本実施形態では、Ｒ光用液晶パネル３４１Ｒの下方向の辺側に設定されている。
【００３７】
また、Ｒ光用液晶パネル３４１Ｒは、導光画像領域３４１１と投写画像領域３４１２との間に、保護画像領域３４１３を備えて構成されている。保護画像領域３４１３は、導光画像領域３４１１及び投写画像領域３４１２のどちらの領域にも属さない画像を表示させる領域となる。
【００３８】
なお、図３では、Ｒ光用液晶パネル３４１Ｒの画素領域３４１０の構成を示しているが、図示省略するＧ光用液晶パネル３４１Ｇ及びＢ光用液晶パネル３４１Ｂにおける画素領域３４１０（導光画像領域３４１１、投写画像領域３４１２、保護画像領域３４１３）も、Ｒ光用液晶パネル３４１Ｒと同様に構成されている。また、Ｇ光用液晶パネル３４１Ｇ及びＢ光用液晶パネル３４１Ｂの各導光画像領域３４１１も、それぞれ下方向の辺側に同様に設定されている。
【００３９】
この構成により、各液晶パネル３４１の画素領域３４１０（導光画像領域３４１１、投写画像領域３４１２、保護画像領域３４１３）で変調されて形成された各色の画像光は、前述したクロスダイクロイックプリズム３４４で画素毎に合成されて、カラー画像を表す画像光として射出される。
【００４０】
従って、クロスダイクロイックプリズム３４４からは、各液晶パネル３４１の導光画像領域３４１１で変調された各変調光が合成されて、導光用のカラー画像を表す導光用画像光として射出される。同様に、クロスダイクロイックプリズム３４４からは、各液晶パネル３４１の投写画像領域３４１２で変調された各変調光が合成されて、投写用のカラー画像を表す投写用画像光として射出される。また、同様に、クロスダイクロイックプリズム３４４からは、各液晶パネル３４１の保護画像領域３４１３で変調された各変調光が合成されて、保護用のカラー画像を表す保護用画像光として射出される。
【００４１】
なお、射出された導光用画像光は、後述する導光部５に入射する。また、射出された投写用画像光は、投写レンズ３５に入射する。なお、投写レンズ３５に入射した投写用画像光は、スクリーンＳＣ等に拡大投写される。保護用画像光は、射出されたままの状態となる。なお、保護用画像光は、本実施形態では、黒色であり、光として射出されない状態となる。なお、黒色を形成させる場合には、液晶パネル３４１において、光の透過率が最低となるように設定して駆動させる。そのため、液晶パネル３４１に入射した光は、略透過されない状態、言い換えれば、遮光された状態となる。この結果、黒色が形成される。本実施形態では、保護画像領域３４１３は黒色として設定しているため、保護用画像光は、光として射出されない状態となる。
【００４２】
図４は、プロジェクター１の回路構成を模式的に示すブロック図である。図４を参照して、プロジェクター１の回路構成と動作を説明する。
【００４３】
プロジェクター１は、制御部１０、操作パネル１１、操作信号処理部１２、画像入力部１３、画像処理部１４、画像記憶部１５、画像合成部１６、液晶パネル駆動部１７、光学ユニット３等で構成されている。光学ユニット３は上述した通りである。
【００４４】
操作パネル１１は、ユーザーの操作入力を受け付けるためのものである。ユーザーが操作パネル１１に配置されたキースイッチを押下すると、それに対応した操作信号が操作信号処理部１２に出力される。操作信号処理部１２は、操作パネル１１が出力した操作信号を受け取り、デジタル信号に変換して制御部１０に出力する。
【００４５】
制御部１０は、プロジェクター１の動作を統括制御する。制御部１０は、マイコンやＣＰＵ（Central Processing Unit）の演算装置と、その動作を規定する制御プログラム等で構成される。
【００４６】
画像入力部１３は、ＰＣ（Personal Computer）や映像再生装置等、図示しない外部の画像供給装置とケーブルを介して画像信号が入力される。画像処理部１４は、制御部１０の指示に基づいて、画像入力部１３から入力された画像信号に対して、解像度を液晶パネル３４１の解像度（画素数）に合わせる解像度変換や輝度調整等の各種画質調整及び各種画像処理を行う。画像合成部１６は、画像記憶部１５に記憶されている導光用画像および保護用画像の画像信号を制御部１０から受け取って、画像処理部１４から入力される投写用画像の画像信号と合成する。
【００４７】
液晶パネル駆動部１７は、画像合成部１６から入力される画像信号に応じた駆動電圧を各液晶パネル３４１の各画素に印加する。これにより、前述したように、クロスダイクロイックプリズム３４４からは、導光用画像光、投写用画像光、保護用画像光が射出される。
【００４８】
なお、投写用画像光は、投写レンズ３５によってスクリーンＳＣ等に拡大投写される。また、導光用画像光は、後述する導光部５により導光される。
【００４９】
図５は、クロスダイクロイックプリズム３４４から射出された画像光と導光部５の一端部を模式的に示す概平面図である。図６は、導光部５を示す図であり、図６（ａ）は、導光部５の構造を示す概平面図であり、図６（ｂ）は、導光部５の構造を示す概断面図である。なお、図６（ａ）は、上ケース２Ａを取り外した状態の要部の概平面図として示している。図５、図６を参照して、導光部５の構成と動作を説明する。
【００５０】
図５に示すように、クロスダイクロイックプリズム３４４から射出される画像光は、各液晶パネル３４１の画素領域３４１０（導光画像領域３４１１、投写画像領域３４１２、保護画像領域３４１３）に対応して、導光用画像光、投写用画像光、保護用画像光として射出される。
【００５１】
導光用画像は、本実施形態では、画像記憶部１５に記憶されており、初期的に設定される導光用画像として、図５に示すように、３つの円形状の内部に表示される赤色領域３４１１ａと緑色領域３４１１ｂと青色領域３４１１ｃと、円形状の外部の領域となる黒色領域３４１１ｄで構成されている。従って、導光画像領域３４１１に対応してクロスダイクロイックプリズム３４４で合成されることにより、導光用画像光として、赤色領域３４１１ａから赤色光が射出され、緑色領域３４１１ｂから緑色光が射出され、青色領域３４１１ｃから青色光が射出される。なお、黒色領域３４１１ｄからは、上述した保護画像領域３４１３での黒色の形成と同様に、光としては射出されない状態となる。
【００５２】
保護用画像は、保護画像領域３４１３に対応してクロスダイクロイックプリズム３４４で合成されることにより、保護用画像光として設定される色光が射出される。本実施形態では、保護用画像は、黒色で構成されているため、光としては射出されない状態となる。この保護用画像（保護画像領域３４１３）を設定することにより、導光画像領域３４１１と投写画像領域３４１２との画像光が混じり合わないようにしている。
【００５３】
導光部５は、第１導光部材としての導光部材５１を備えている。導光部材５１は、３つの導光部材５１ａ，５１ｂ，５１ｃで構成されており、導光用画像光の３つの色領域３４１１ａ，３４１１ｂ，３４１１ｃに対応してそれぞれ設置されている。本実施形態では、各導光部材５１は、光ファイバーの集合体で構成され、集合体は断面が概ね円形状となり、ケーブル状で、屈曲可能に構成されている。各導光部材５１の一端部は、図５、図６に示すように、クロスダイクロイックプリズム３４４の射出面３４４０に接近させて、対応する色領域３４１１ａ，３４１１ｂ，３４１１ｃに相対させて固定部材４１により固定されている。
【００５４】
導光部材５１は、詳細には、導光部材５１ａを赤色領域３４１１ａに対応させ、導光部材５１ｂを緑色領域３４１１ｂに対応させ、導光部材５１ｃを青色領域３４１１ｃに対応させて設置されている。そして、各色領域３４１１ａ，３４１１ｂ，３４１１ｃから射出される赤色光、緑色光、青色光は、対応する導光部材５１ａ，５１ｂ，５１ｃに入射される。
【００５５】
なお、クロスダイクロイックプリズム３４４から射出された投写用画像光は、上述したように、前方に設置される投写レンズ３５に入射して拡大投写される。また、図６（ｂ）に示すように、本実施形態では、投写レンズ３５と導光部材５１との間に隔壁４２が設置されている。そして、保護用画像光は、この隔壁４２に入射する設定としている。隔壁４２は、投写レンズ３５と導光部材５１をそれぞれ固定した際の位置ズレにより投写用画像光と導光用画像光とが混じることを防止している。
【００５６】
導光部５は、更に、第２導光部材として、矩形の平板形状に形成される反射板５２を備えている。反射板５２は、導光部材５１により導光された導光用画像光を上ケース２Ａの表示領域２５の内面側に導光（反射）させる部材である。反射板５２は、３つの反射板５２ａ，５２ｂ，５２ｃで構成されている。詳細には、反射板５２ａは導光部材５１ａに対応させ、反射板５２ｂは導光部材５１ｂに対応させ、反射板５２ｃは導光部材５１ｃに対応させている。
【００５７】
なお、反射板５２は、反射板案内枠４３に案内されて設置されている。反射板案内枠４３は、上部に開口する開口部４３１を有し、３つの部屋４４を備えて構成されている。３つの部屋４４をそれぞれ部屋４４ａ，４４ｂ，４４ｃとする。各部屋４４の各底面４６は、導光部材５１の他端部が設置される前面２ｃ側の部位から背面２ｄ側に行くに従って上方向に傾く状態で形成されている。
【００５８】
各部屋４４の底面４６には、反射板５２が反射面（図示省略）を上方向に向けて、それぞれ設置される。詳細には、部屋４４ａの底面４６には反射板５２ａが設置され、部屋４４ｂの底面４６には反射板５２ｂが設置され、部屋４４ｃの底面４６には反射板５２ｃが設置される。
【００５９】
また、３つの部屋４４の開口部４３１は、上ケース２Ａの内面に接して設置されている。そして、開口部４３１により、上ケース２Ａの表示領域２５が形成される。詳細には、部屋４４ａに対応して第１表示領域２５１が形成され、部屋４４ｂに対応して第２表示領域２５２が形成され、部屋４４ｃに対応して第３表示領域２５３が形成される。
【００６０】
導光部５による表示領域２５の照明に関し、導光部材５１ａによる導光を例に説明する。
【００６１】
導光部材５１ａの一端部に入射した導光用画像光（赤色光）は、導光部材５１ａ内部を導光し、反射板案内枠４３に固定された導光部材５１ａの他端部から反射板５２ａに向けて射出される。射出された赤色光は、反射板５２ａで上方向に反射され、上ケース２Ａの内面側に入射する。上ケース２Ａの内面側に入射した赤色光は、上ケース２Ａの内部を透光することで乱反射して拡散され、上ケース２Ａの外面（上面２ａ）から射出される。この一連の導光により、上ケース２Ａの第１表示領域２５１が照明される。
【００６２】
他の導光部材５１ｂ，５１ｃにおいても同様に、各導光用画像光（緑色光、青色光）が導光され、各反射板５２ｂ，５２ｃで反射されることにより、上ケース２Ａの第２表示領域２５２が緑色光で照明され、第３表示領域２５３が青色光で照明される。従って、表示領域２５は、第１表示領域２５１が赤色光で照明され、第２表示領域２５２が緑色光で照明され、第３表示領域２５３が青色光で照明される。
【００６３】
なお、赤色光と緑色光との境界部分（部屋４４ａと部屋４４ｂとの境界部分）は、上ケース２Ａを透光することにより、互いに混ざり合った色光として上面２ａから射出される。同様に、緑色光と青色光との境界部分（部屋４４ｂと部屋４４ｃとの境界部分）は、上ケース２Ａを透光することにより、互いに混ざり合った色光として上面２ａから射出される。
【００６４】
これにより、プロジェクター１の外観上、乳白色の上ケース２Ａの上面２ａが、赤色光、緑色光、青色光、及び各色光の境部部分が混じり合った色光で照明された状態（カラーリングされた状態）とすることができる。また、反射板案内枠４３は、乳白色に着色される上ケース２Ａの外観からは視認できない仕様のため、美感を向上させている。
【００６５】
上述した実施形態によれば、以下の効果が得られる。
本実施形態のプロジェクター１は、光源装置３０と光変調装置（液晶パネル３４１）と導光部５と外装筐体２とを備えることにより、液晶パネル３４１で変調されて射出された変調光（導光用画像光）を導光部５で導光し、導光された導光用画像光を外装筐体２（上ケース２Ａ）に透光することにより、上ケース２Ａを変調光でカラーリングした状態とすることができる。従って、液晶パネル３４１による変調を利用することで、上ケース２Ａのカラーリングの自由度を向上させることができる。これにより、上ケース２Ａは乳白色で、下ケース２Ｂは例えば黒色で構成される外装筐体２が量産製造されても、変調光で上ケース２Ａをカラーリングすることができるため、ユーザーの要求するカラーリングに近づけることができる。これにより、製造コストを抑制することができる。また、上ケース２Ａのカラーリングの自由度を向上させることができるため、これを活用した外装筐体２のデザインの自由度も向上させることができる。
【００６６】
本実施形態のプロジェクター１によれば、液晶パネル３４１に導光画像領域３４１１と投写画像領域３４１２とを備えることにより、導光部５（導光部材５１）に導光用画像（導光用画像光）を導光させると共に、投写レンズ３５を介して投写用画像（投写用画像光）をスクリーンＳＣに拡大投写することができる。従って、上ケース２Ａをカラーリングする機能と、プロジェクター本来の機能である画像を投写する機能とを、同一の液晶パネル３４１で実現することができる。このため、別々に液晶パネルを設置して用いる必要がないため、製造コストを抑制することができる。
【００６７】
本実施形態のプロジェクター１によれば、保護画像領域３４１３を導光画像領域３４１１と投写画像領域３４１２との間に備えることにより、投写レンズ３５を介して投写された画像（投写用画像）に、導光用画像が混ざること防止でき、逆に、上ケース２Ａのカラーリングに投写用画像が混ざることを防止できる。
【００６８】
本実施形態のプロジェクター１によれば、導光画像領域３４１１を下方向の辺側に設定することにより、導光画像領域３４１１に対向させて導光部５（導光部材５１）を固定して設置し、また、投写画像領域３４１２に対向させて投写レンズ３５を固定して設置することができる。
【００６９】
本実施形態のプロジェクター１によれば、導光部５が第１導光部材（導光部材５１）と第２導光部材（反射板５２）とを備えることにより、導光画像領域３４１１から射出された変調光を上ケース２Ａに導光するまでの導光を効率的に行うことができる。
【００７０】
本実施形態のプロジェクター１によれば、導光部５が複数（３つ）設置されていることにより、上ケース２Ａの複数の領域（第１表示領域２５１、第２表示領域２５２、第３表示領域２５３）に変調光を導光して透光させることができる。また、導光部５毎に赤色光、緑色光、青色光と、色を異ならせていることにより、更に、外装筐体２のカラーリングの自由度を向上させることができる。
（第２実施形態）
【００７１】
図７は、第２実施形態に係る導光部６を示す図である。なお、図７は、導光部６を構成する導光部材６１の周辺を概断面図で示している。図７を参照して、導光部６の構成と動作を説明する。
【００７２】
本実施形態の導光部６は、第２導光部材として導光部材６１を備えていることが、第２導光部材として反射板５２を備えている第１実施形態と異なる点である。
【００７３】
本実施形態の導光部６は、第１実施形態と同様に構成される第１導光部材としての導光部材５１と、第２導光部材としての導光部材６１とを備えて構成される。また、第１実施形態の反射板案内枠４３は使用していない。その他の構成は第１実施形態と同様となる。なお、同様の構成には第１実施形態と同様の符号を付記している。
【００７４】
図７に示すように、本実施形態の導光部材６１は、矩形の平板形状で、下面にシボ（凹凸部）６１１ａが施された導光部材本体６１１と、このシボ６１１ａの下面に、反射率の高い色（本実施形態では白色）の塗装を施した塗装部６１２とを備えている。シボ６１１ａは、導光部材本体６１１の内部において導光用画像光を乱反射させる。なお、導光部材６１は、上面を上ケース２Ａの内面に接触するように設置されている。また、導光部材５１の他端部は、導光部材本体６１１の端面に接触して設置されている。
【００７５】
なお、本実施形態での導光用画像は、第１実施形態と同様に構成されている。また、導光用画像光に対応する導光部材５１も３つ（導光部材５１ａ，５１ｂ，５１ｃ）備えている。従って、本実施形態の導光部材６１も、導光部材５１に対応させて３つ（導光部材６１ａ，６１ｂ（図示省略），６１ｃ（図示省略））備えている。なお、導光部材６１ａは導光部材５１ａに対応して設置され、導光部材６１ｂは導光部材５１ｂに対応して設置され、導光部材６１ｃは導光部材５１ｃに対応して設置されている。
【００７６】
また、この３つの導光部材６１は長手方向を相互に接触させて配設される。この３つの導光部材６１の配設により、本実施形態の表示領域が、第１実施形態の表示領域２５（第１表示領域２５１、第２表示領域２５２、第３表示領域２５３）と概ね同様に構成される。
【００７７】
導光部材５１ａから射出された導光用画像光（赤色光）は、導光部材６１ａに入射し、シボ６１１ａにより乱反射して導光部材本体６１１の内部において拡散される。拡散された赤色光は、上方向に導光されて導光部材６１ａから射出され、上ケース２Ａの内面側に入射する。上ケース２Ａの内面側に入射した赤色光は、上ケース２Ａの内部を透光することで乱反射して拡散され、上ケース２Ａの外面（上面２ａ）から射出される。この動作により、上ケース２Ａの第１表示領域２５１が照明される。
【００７８】
図示省略する導光部材６１ｂ，６１ｃにおいても同様に、各導光用画像光（緑色光、青色光）が導光され、上ケース２Ａの第２表示領域２５２が緑色光で照明され、第３表示領域２５３が青色光で照明される。
【００７９】
上述した実施形態によれば、以下の効果が得られる。
【００８０】
本実施形態のプロジェクター１によれば、導光部６が第１導光部材（導光部材５１）と第２導光部材（導光部材６１）とを備えることにより、導光画像領域３４１１から射出された変調光を上ケース２Ａに導光するまでの導光を効率的に行うことができる。
（第３実施形態）
【００８１】
図８は、第３実施形態に係る導光部７を示す図である。なお、図８は、導光部７を構成する導光部材７１の周辺を概断面図で示している。図８を参照して、導光部７の構成と動作を説明する。
【００８２】
本実施形態の導光部７は、第２導光部材として導光部材７１を備えていることが、第２導光部材として反射板５２を備えている第１実施形態と異なる点である。
【００８３】
本実施形態の導光部７は、第１実施形態と同様に構成される第１導光部材としての導光部材５１と、第２導光部材としての導光部材７１とを備えて構成される。また、第１実施形態の反射板案内枠４３は使用していない。その他の構成は第１実施形態と同様となる。なお、同様の構成には第１実施形態と同様の符号を付記している。
【００８４】
図８に示すように、本実施形態の導光部材７１は、矩形の平板形状で、上ケース２Ａと同様に乳白色に着色されており、下面にシボ７１１ａが施された導光部材本体７１１と、このシボ７１１ａの下面に、反射率の高い色（本実施形態では白色）の塗装を施した塗装部７１２とを備えている。シボ７１１ａは、導光部材本体７１１の内部において導光用画像光を乱反射させる。なお、導光部材７１は、上ケース２Ａの一部を構成しており、上面７１１ｂが上ケース２Ａの上面２ａと一様に接続されている。また、導光部材５１の他端部は、導光部材本体７１１の端面に接触して設置されている。
【００８５】
なお、本実施形態での導光用画像は、第１実施形態と同様に構成されている。また、導光用画像光に対応する導光部材５１も３つ（導光部材５１ａ，５１ｂ，５１ｃ）備えている。従って、本実施形態の導光部材７１も、導光部材５１に対応させて３つ（導光部材７１ａ，７１ｂ（図示省略），７１ｃ（図示省略））備えている。なお、導光部材７１ａは導光部材５１ａに対応して設置され、導光部材７１ｂは導光部材５１ｂに対応して設置され、導光部材７１ｃは導光部材５１ｃに対応して設置されている。
【００８６】
また、この３つの導光部材７１は長手方向を相互に接触させて配設される。この３つの導光部材７１の配設により、本実施形態の表示領域が、第１実施形態の表示領域２５（第１表示領域２５１、第２表示領域２５２、第３表示領域２５３）と概ね同様に構成される。
【００８７】
導光部材５１ａから射出された導光用画像光（赤色光）は、導光部材７１ａに入射し、シボ７１１ａにより乱反射して導光部材本体７１１の内部において拡散され、上方向に導光されて上面７１１ｂから射出される。この動作により、上ケース２Ａの第１表示領域２５１（導光部材７１ａ）が照明される。
【００８８】
図示省略する導光部材７１ｂ，７１ｃにおいても同様に、各導光用画像光（緑色光、青色光）が導光され、上ケース２Ａの第２表示領域２５２（導光部材７１ｂ）が緑色光で照明され、第３表示領域２５３（導光部材７１ｃ）が青色光で照明される。
【００８９】
上述した実施形態によれば、以下の効果が得られる。
【００９０】
本実施形態のプロジェクター１によれば、第２導光部材（導光部材７１）が外装筐体２（上ケース２Ａ）の一部を構成することにより、外装筐体２の小型化を図ることができ、また、外装筐体２のデザインの自由度を向上させることができる。
【００９１】
なお、上述した実施形態に限定されず、その要旨を逸脱しない範囲において種々の変更や改良等を加えて実施することが可能である。変形例を以下に述べる。
【００９２】
前記第１〜第３実施形態のプロジェクター１において、導光用画像として、液晶パネル３４１に赤色光、緑色光、青色光となる変調光を生成させている。そして、生成された赤色光、緑色光、青色光を上ケース２Ａに射出することで、上ケース２Ａをカラーリングしている。しかし、この構成を利用し、制御部１０の制御により、導光用画像として、プロジェクター１の動作情報を表示させるための変調光を液晶パネル３４１に生成させて、上ケース２Ａをカラーリングすることでもよい。なお、動作情報の一例として、光源装置３０が交換時期であるか否か、内部温度が異常であるか否か等の情報を挙げることができる。また、カラーリングのさせ方として、色を変化させることや、点滅表示させること等によりカラーリングさせることが考えられる。このように構成することにより、ユーザーに対して、プロジェクター１の動作情報を、上ケース２Ａのカラーリングで認識させることができるため、プロジェクターの利便性を更に向上させることができる。
【００９３】
前記第１〜第３実施形態のプロジェクター１において、導光用画像をユーザーが設定できるように、制御部１０に記憶するメニュー画面を投写用画像として投写させることでもよい。そして、メニュー画面による各設定に対応して、制御部１０の制御に基づき、導光用画像を液晶パネル３４１に生成させることでよい。この場合、導光部材５１を３つに分けて設置するのではなく、導光画像領域３４１１全体に相対して設置することが、導光画像領域３４１１を有効に使用する面から好ましい。なお、メニュー画面の内容の一例として、導光用画像を生成する/しないの設定、色の設定、色の装飾の設定、表示パターンの設定、時間経過による色変化をさせる/させないの設定等が挙げられる。このような構成とすることにより、個々のユーザーの所望するカラーリングに更に近づけることができる。
【００９４】
前記第１〜第３実施形態のプロジェクター１において、上ケース２Ａを変調光によりカラーリングしている。しかし、上ケース２Ａのみでなく、下ケース２Ｂも含めてカラーリングする構成としてもよい。
【００９５】
前記第１〜第３実施形態のプロジェクター１において、液晶パネル３４１の画素領域３４１０を、導光画像領域３４１１と投写画像領域３４１２と保護画像領域３４１３とに分けている。しかし、保護画像領域３４１３は設けなくてもよい。また、一時的に画素領域３４１０を全て導光画像領域３４１１としてもよい。その場合、導光部５，６，７を可動式に変更することでもよい。
【００９６】
前記第１〜第３実施形態のプロジェクター１において、導光画像領域３４１１は、液晶パネル３４１の下方向の辺側に設定されているが、上方向の辺側や左右方向の辺側に設定されてもよい。
【００９７】
前記第１〜第３実施形態のプロジェクター１において、導光用画像として赤色、緑色、青色を生成させているが、画像（静止画や動画）を生成して導光し、上ケース２Ａを照明させることでもよい。
【００９８】
前記第１〜第３実施形態のプロジェクター１において、第１導光部材としての導光部材５１は、光ファイバーの集合体で構成されているが、これに限られず、全反射を繰り返して導光用画像光を導光する部材であればよい。また、導光部材５１は、３つの導光部材５１ａ，５１ｂ，５１ｃに分かれているが、導光画像領域３４１１に対応して一体として設置されてもよい。
【００９９】
前記第１〜第３実施形態のプロジェクター１において、上ケース２Ａは、透光性を有して乳白色に着色されている。しかし、これに限られず、透光性を有して半透明な部材であればよい。
【０１００】
前記第２、第３実施形態のプロジェクター１において、導光部材６１，７１は、シボ６１１ａ，７１１ａの下面に、反射率の高い色を塗装した塗装部６１２，７１２を備えている。しかし、これに限らず、反射率の高い色を印刷してもよいし、反射率の高い色のシール等を貼設することでもよく、様々な構成を採用することが可能である。
【０１０１】
前記第１実施形態のプロジェクター１において、第２導光部材としての反射板５２は矩形の平板形状に形成されている。しかし、形状は限定されるものではなく、矩形以外の形状や曲面形状等とすることができる。同様に、前記第２、第３実施形態の第２導光部材としての導光部材６１，７１も、矩形以外の形状や曲面形状等とすることができる。
【０１０２】
前記第１〜第３実施形態のプロジェクター１において、上ケース２Ａの上面２ａに表示領域２５を設定している。しかし、表示領域は限定されるものではなく、導光部５，６，７により、位置や大きさを自由に設定することができる。
【０１０３】
前記第３実施形態のプロジェクター１において、導光部材７１は、矩形の平板形状に形成されている。しかし、形状は限定されるものではなく、上ケース２Ａを構成する外面形状（曲面形状等）とすることでよい。また、上ケース２Ａの全体を導光部材７１として構成することでもよい。
【０１０４】
前記第１〜第３実施形態のプロジェクター１は、Ｒ光、Ｇ光、Ｂ光に対応する３つの液晶パネル３４１を用いる、いわゆる３板方式を採用している。しかし、これに限られず、単板方式の液晶パネルを採用してもよい。単板方式の場合には、クロスダイクロイックプリズム３４４は必要なく、液晶パネルに相対させて導光部材５１を設置することでよい。
【０１０５】
前記第１〜第３実施形態の光変調装置は、透過型の液晶パネル３４１を用いているが、反射型の液晶パネル等、反射型の光変調装置を用いることも可能である。
【符号の説明】
【０１０６】
１…プロジェクター、２…外装筐体、２Ａ…上ケース、５，６，７…導光部、３０…光源装置、５１…導光部材（第１導光部材）、５２…反射板（第２導光部材）、６１，７１…導光部材（第２導光部材）、３４１…液晶パネル（光変調装置）、３４１０…画素領域、３４１１…導光画像領域、３４１２…投写画像領域、３４１３…保護画像領域。
【図１】
2014056071.tif 000003
【図２】
2014056071.tif 000004
【図３】
2014056071.tif 000005
【図４】
2014056071.tif 000006
【図５】
2014056071.tif 000007
【図６】
2014056071.tif 000008
【図７】
2014056071.tif 000009
【図８】
2014056071.tif 000010